(57)【要約】【課題】浴室壁から突設する保持部の浴室壁からの突出長さを短く抑えて保持部が邪魔にならないようにすることができる風呂蓋を提供する。【解決手段】複数枚に分割された蓋部１０からなる風呂蓋１であって、各蓋部１０を重ね合わせた時に互いに隣接する蓋部１０を連結する連結手段２を備え、各蓋部１０を重ね合わせて前記連結手段２により連結した時に、最も浴室壁３側に立て掛けられる蓋部１０ａに該蓋部１０に隣接する蓋部１０ｂと重ならない保持代１１を設けた。【選択図】図１
2009125498.tif 000002
【特許請求の範囲】
【請求項１】
複数枚に分割された蓋部からなる風呂蓋であって、各蓋部を重ね合わせた時に互いに隣接する蓋部を連結する連結手段を備え、各蓋部を重ね合わせて前記連結手段により連結した時に、最も浴室壁側に立て掛けられる蓋部に該蓋部に隣接する蓋部と重ならない保持代を設けて成ることを特徴とする風呂蓋。
【請求項２】
蓋部に把手を兼ねた小物トレイを設けて成ることを特徴とする請求項１記載の風呂蓋。
【発明の詳細な説明】
【技術分野】
【０００１】
本発明は、風呂蓋（浴槽蓋）に関するものである。
【背景技術】
【０００２】
従来より、入浴する際に風呂蓋が邪魔になるため、できるだけ浴室内のスペースを取らないように風呂蓋を浴室壁に立て掛けることが行われていた。
【０００３】
また、風呂蓋を一枚の板状物で構成した場合、大きく且つ重くて取り扱い性が良好でなくなるため、複数枚に分割した風呂蓋が良く用いられている。
【０００４】
このような風呂蓋は、入浴する際に、分割された蓋部を複数重ねた状態で浴室壁に立て掛けるのであるが、立て掛ける角度（床面と風呂蓋とが為す角度）が垂直に近い場合（すなわち浴室壁に略平行な場合）には、下端部を中心に上端部が回動して転倒し易く、立て掛ける角度が小さい場合には、下端部が床面を滑って転倒し易く、立て掛ける角度に注意して立て掛けなければならず、立て掛ける作業が面倒であった。
【０００５】
そこで、立て掛けた蓋部の上端部を保持することで、浴室壁に略平行に立て掛けても転倒しないようにする保持部を浴室壁に設けたものが知られている（例えば特許文献１参照）。
【特許文献１】特開２００２−３４５６６７号公報
【発明の開示】
【発明が解決しようとする課題】
【０００６】
保持部は、図６に示すように、浴室壁３から突設してあって、浴室壁３に重ねて立て掛けてある蓋部１０の一番外側、すなわち浴室壁３から一番遠い蓋部１０の表面を保持部４のフック４２にて押さえることで、蓋部１０を保持して転倒を防止するものである。
【０００７】
しかしながら、この保持部４にあっては、浴室壁３に重ね合わせて立て掛けた複数の蓋部１０の一番外側の蓋部１０の表面を押さえるために、浴室壁３からの突出長さｔ’が長くなってしまい、邪魔になるものであった。
【０００８】
本発明は上記従来の問題点に鑑みて発明したものであって、その目的とするところは、浴室壁から突設する保持部の浴室壁からの突出長さを短く抑えて保持部が邪魔にならないようにすることができる風呂蓋を提供することを課題とするものである。
【課題を解決するための手段】
【０００９】
上記課題を解決するために請求項１に係る発明にあっては、複数枚に分割された蓋部１０からなる風呂蓋１であって、各蓋部１０を重ね合わせた時に互いに隣接する蓋部１０を連結する連結手段２を備え、各蓋部１０を重ね合わせて前記連結手段２により連結した時に、最も浴室壁３側に立て掛けられる蓋部１０ａに該蓋部１０ａに隣接する蓋部１０ｂと重ならない保持代１１を設けて成ることを特徴とするものである。
【００１０】
このような構成とすることで、複数の蓋部１０の一番外側の蓋部１０ａの表面を押さえるために、浴室壁３に設ける保持部４の浴室壁３からの突出長さｔが長くなってしまうのを防止することができる。
【００１１】
また、請求項２に係る発明は、請求項１に係る発明において、蓋部１０に把手を兼ねた小物トレイ１２を設けて成ることを特徴とするものである。
【００１２】
このような構成とすることで、浴槽上に載置してある蓋部１０を取り外す際に掴み易くなる。
【発明の効果】
【００１３】
本発明にあっては、重ね合わせて浴室壁に立て掛ける複数の蓋部が転倒するのを防止するための保持部の浴室壁からの突出長さを短く抑えて、保持部が邪魔になってしまうのを防止することができる。
【発明を実施するための最良の形態】
【００１４】
以下、本発明の一実施形態について図１乃至図３に基づいて説明する。
【００１５】
風呂蓋１は、複数の蓋部１０に分割してあり（本実施形態では三枚）、浴槽のフランジ部に前記複数の蓋部１０を隙間なく並べて載置した状態で、浴槽を覆う風呂蓋１として機能する。
【００１６】
浴室壁３には、前記複数の蓋部１０を重ねた状態で浴室壁３に立て掛けて保持するための保持部４が設けてある。保持部４は、浴室壁３から突設する突設基部４１と、突設基部４１の先端側に設けられ該突設基部４１に対して回動自在なフック４２とからなる。
【００１７】
風呂蓋１は、各蓋部１０を重ね合わせた時に互いに隣接する蓋部１０を連結する連結手段２を備えている。連結手段２としては、図２に示すように蓋部１０に磁石２１を設けて形成したり、あるいは図３に示すように蓋部１０に吸盤２２ａを設けて形成したり、あるいは図示しないが係止部を設けて形成してもよい。磁石２１を設ける場合には、図２に示すように蓋部１０内の一表面側に磁石２１を埋設し、この一表面に重ね合わせられる隣接する蓋部１０の表面の対応する部分に前記磁石２１と引き合う磁石２１や磁性体を設けるものである。吸盤２２ａを設ける場合には、図３に示すように蓋部１０の一表面側に吸盤２２ａを設け、この一表面に重ね合わせられる隣接する蓋部１０の表面の対応する部分を前記吸盤２２ａが吸着する被吸着部２２ｂとするものである。この連結手段２により、複数の蓋部１０を重ね合わせて連結した状態を保持することができる。
【００１８】
そして、本発明においては、前記連結手段２により重ね合わせて浴室壁３に立て掛けた複数の蓋部１０のうち、最も浴室壁３側に立て掛けられる蓋部１０ａ（以下、便宜上「最内蓋部」という）に、該最内蓋部１０ａに隣接する蓋部１０、すなわち浴室壁３側から二番目の蓋部１０ｂ（以下、便宜上単に「二番目の蓋部」という）と重ならない保持代１１を設けるものである。
【００１９】
本実施形態では、浴室の床面に前記連結手段２により重ね合わせた複数の蓋部１０を立てて浴室壁３にもたれ掛けさせるものであり、この時、二番目の蓋部１０ｂと重ならない最内蓋部１０ａの上端部が保持代１１となっており、この保持代１１を浴室壁３から突出する上記保持部４のフック４２で押さえて風呂蓋１の転倒防止を図るものである。すなわち本実施形態では、図１に示すように連結手段２により重ね合わせた複数の蓋部１０は下端部が床面上に揃う状態となり、最内蓋部１０ａの上下長さを二番目の蓋部１０ｂの上下長さよりも長くすることで、最内蓋部１０ａの上端部を、二番目の蓋部１０ｂと重ならない保持代１１としてある。
【００２０】
この時、保持部４は、最内蓋部１０ａの上端部の保持代１１を保持するだけでよく、蓋部１０一枚を保持できるようにフック４２は蓋部１０一枚分の厚みと同じかそれより若干長い長さだけ浴室壁３から突出させればよい。このため、保持部４の浴室壁３からの突出長さｔを短く抑えることができて、従来のように、複数の蓋部１０の一番外側の蓋部１０の表面を押さえるために、浴室壁３からの突出長さが長くなって邪魔になってしまう、といったことを防止することができる。
【００２１】
また、図４に示す実施形態では、連結手段２により重ね合わせた複数の蓋部１０は下端部が床面上に揃う状態となるのは図１に示す実施形態と同じであるが、蓋部１０の上下長さは全て同じに形成してあり、最内蓋部１０ａの上端部の一部に保持代１１を上側に向けて突設してある。保持代１１の厚みは、蓋部１０と同じ厚みか、蓋部１０の厚みよりも薄くしてもよく、図４に示すように最内蓋部１０ａの浴室壁３側の面から所定の厚みの保持代１１を設けることで、保持部４の突出長さを更に短く抑えることが可能となる。
【００２２】
また、蓋部１０に把手を兼ねた小物トレイ１２を設けてもよく、図５に示す実施形態では、最も浴室壁３から離れて立て掛けられる蓋部１０ｃ（以下、便宜上「最外蓋部」という）の外面に小物トレイ１２を設けてある。
【００２３】
この小物トレイ１２は、浴槽上に載置する時の上面であって最外蓋部１０ｃを立て掛けた際の外面に、上方に開口する略箱状をした部材を設けて形成してある。これにより、浴槽上に載置してある蓋部１０を取り外す際に掴み易くなる。
【図面の簡単な説明】
【００２４】
【図１】本発明の一実施形態の風呂蓋の保持を説明する斜視図である。
【図２】同上の風呂蓋の一例の分解斜視図である。
【図３】同上の風呂蓋の他例の分解斜視図である。
【図４】他の実施形態の風呂蓋の保持を説明する斜視図である。
【図５】更に他の実施形態の風呂蓋の保持を説明する斜視図である。
【図６】従来の風呂蓋の保持を説明する斜視図である。
【符号の説明】
【００２５】
１    風呂蓋
１０  蓋部
１０ａ  最も浴室壁側に立て掛けられる蓋部
１０ｂ  最内蓋部に隣接する蓋部
１１  保持代
２    連結手段
２１  磁石
２２ａ  吸盤
２２ｂ  被吸着部
３    浴室壁
４    保持部
４１  突設基部
４２  フック
【図１】
2009125498.tif 000003
【図２】
2009125498.tif 000004
【図３】
2009125498.tif 000005
【図４】
2009125498.tif 000006
【図５】
2009125498.tif 000007
【図６】
2009125498.tif 000008